(57)【要約】【課題】  コンクリート打設面での張上材固定用の下地形成が、堰板の組み立てと同時的に効率良く行える型枠施工方法を提供する。【解決手段】  張上下地兼堰板支持用の埋込部材１を使用し、コンクリートの流し込み空間Ｓの両側に堰板１２を直立させ、該堰板１２の側面に埋込部材１を横方向に堰板１２と交互に接続させつつ埋込部材１をセパレータ１３とホームタイ１５で対面固定してコンクリートの流し込み空間Ｓの両側を該堰板１２で囲い、該堰板１２の外側に縦桟１７、１８を当ててホームタイ１５を両側から挟んで両縦桟を一緒に掴むようにクランプキャップ１９で押えて固定する。  該両縦桟１７、１８の上からサポートパイプ２０を横に掛け渡してホームタイ１５に装着したクランプ２１でサポートパイプ２０を締め付け固定する。  そして、流し込んだコンクリートが硬化した後堰板１２を外すと、コンクリート壁面に埋込部材１による張り上げ下地が形成される。【選択図】      図１
2005290853.tif 000002
【特許請求の範囲】
【請求項１】
セパレータを差し込むために板面内に貫設したセパレータ差し込み孔と、
コンクリート内へ食い込ませるために裏面に形成したアンカー部と、
堰板を正確な位置に支持するために表面に形成した堰板支持面と、
上下に相互接続するために上下両端部に形成した連結部とから成る張上下地兼堰板支持用のコンクリート面への埋込部材。
【請求項２】
堰板支持面内のセパレータ差し込み孔の線列上に台部を突設し、該台部両側に堰板間の隙間幅を決める突付け面を一体的に形成した請求項１に記載の張上下地兼堰板支持用のコンクリート面への埋込部材。
【請求項３】
堰板支持面上に張上材装着用の下地材を固定するための下地材取り付け手段を形成した請求項１又は２に記載の張上下地兼堰板支持用のコンクリート面への埋込部材。
【請求項４】
下地材取り付け手段が、下地材に設けた嵌合部に結合可能に対応する嵌合部を設けて成る請求項１乃至３うちいずれか一項に記載の張上下地兼堰板支持用のコンクリート面への埋込部材。
【請求項５】
セパレータを差し込むために板面内に貫設したセパレータ差し込み孔と、
コンクリート内へ食い込ませるために裏面に形成したアンカー部と、
堰板を正確な位置に支持するために表面に形成した堰板支持面と、
堰板支持面内のセパレータ差し込み孔の線列上に台部を突設し、該台部両側に堰板間の隙間幅を決める突付け面を一体的に形成した張上用下地部と、
上下に相互接続するために上下両端部に形成した連結部とから成る張上下地兼堰板支持用のコンクリート面への埋込部材。
【請求項６】
セパレータを差し込むために板面内に貫設したセパレータ差し込み孔と、
コンクリート内へ食い込ませるために裏面に形成したアンカー部と、
断熱板を正確な位置に支持するために表面に形成した断熱板支持面と、
断熱板支持面内のセパレータ差し込み孔の線列上に台部を突設し、該台部両側に断熱板間の隙間幅を決める突付け面を一体的に形成した断熱板突付け部と、
前記台部の断熱板突付け部の上部に、セパレータ差し込み孔の線列上に２段目台部を突設し、該２段目台部の両側に堰板間の隙間幅を決める突付け面を一体的に形成した堰板突付け部と、
上下に相互接続するために上下両端部に形成した連結部とから成る張上下地兼堰板支持用のコンクリート面への埋込部材。
【請求項７】
断熱板突付け部に、断熱板の側面を嵌合する断熱板の厚さと同幅の嵌合溝を形成して成る請求項６に記載の張上下地兼堰板支持用のコンクリート面への埋込部材。
【請求項８】
請求項１乃至５のうちいずれか１項に記載の埋込部材を使用し、
鉄筋組み立て工程の後の鉄筋コンクリート型枠組み立て工程において、
コンクリートの流し込み空間の両側に、直立させた堰板の側部に堰板最上部まで添わせて前記埋込部材を連結させつつまた該埋込部材の横方向に堰板と該埋込部材とを交互に配して前記埋込部材をセパレータとホームタイで対面固定して繋げて行き、コンクリートの流し込み空間の両側を該堰板で囲い、該堰板の外側に、縦桟を当てて前記ホームタイを両側から挟んで両縦桟を一緒に掴むようにクランプキャップで押えて堰板と埋込部材を固定する堰板建込み工程と、
該縦桟固定工程で固定された縦桟の上からサポートパイプを横に掛け渡し、ホームタイに装着したクランプで前記サポートパイプを締め付け固定するサポートパイプ固定工程とから成り、
流し込み空間にコンクリートを流し込んでコンクリートが硬化した後、前記クランプを外して堰板を剥がすと、コンクリート壁面に埋め込まれて張り上げ用の下地が一体的に形成されることを特徴としたコンクリート型枠形成工法。
【請求項９】
請求項６に記載の埋込部材を使用し、
鉄筋組み立て工程の後の鉄筋コンクリート型枠組み立て工程において
コンクリートの流し込み空間の両側に、直立させた断熱板の側部に断熱板最上部まで添わせて前記埋込部材を連結させつつまた該埋込部材の横方向に断熱板と該埋込部材とを交互に配して前記埋込部材をセパレータとホームタイで対面固定して繋げて行き、コンクリートの流し込み空間の両側を該断熱板で囲い、
該断熱板の外側を堰板で囲い、該堰板の外側に縦桟を当てて前記ホームタイを両側から挟んで両縦桟を一緒に掴むようにクランプキャップで押えて断熱板及び堰板と埋込部材を固定する堰板建込み工程と、
該縦桟固定工程で固定された縦桟の上からサポートパイプを横に掛け渡し、ホームタイに装着したクランプで前記サポートパイプを締め付け固定するサポートパイプ固定工程とから成り、
流し込み空間にコンクリートを流し込んでコンクリートが硬化した後、前記クランプを外して堰板を剥がすと、断熱板がコンクリート面に付着し、コンクリート壁面に埋め込まれた張り上げ用の下地が一体的に形成されることを特徴としたコンクリート型枠形成工法。
【請求項１０】
請求項７に記載の埋込部材を使用し、
鉄筋組み立て工程の後の鉄筋コンクリート型枠組み立て工程において、
コンクリートの流し込み空間の両側に、直立させた断熱板の側部に断熱板最上部まで添わせて前記埋込部材を連結させつつまた該埋込部材の横方向に該埋込部材の嵌合溝に断熱板の側部を嵌め込んで断熱板と該埋込部材とを交互に配して前記埋込部材をセパレータとホームタイで対面固定して繋げて行き、コンクリートの流し込み空間の両側を該断熱板で囲う断熱板建込み工程と、
該断熱板の外側を堰板で囲い、該堰板の外側に縦桟を当てて前記ホームタイを両側から挟んで両縦桟を一緒に掴むようにクランプキャップで押えて断熱板及び堰板と埋込部材を固定する堰板建込み工程と、
該縦桟固定工程で固定された縦桟の上からサポートパイプを横に掛け渡し、ホームタイに装着したクランプで前記サポートパイプを締め付け固定するサポートパイプ固定工程とから成り、
流し込み空間にコンクリートを流し込んでコンクリートが硬化した後、前記クランプを外して堰板を剥がすと、断熱板がコンクリート面に付着し、ンクリート壁面に埋め込また張り上げ用の下地が一体的に形成されることを特徴としたコンクリート型枠形成工法。
【発明の詳細な説明】
【技術分野】
【０００１】
本発明は、コンクリート打設面に対する仕上げ材などの張上材を固定するための下地部材と、コンクリート打設面を囲う堰板を固定させる支持部材に関するとともに、鉄筋コンクリート構造物においてコンクリートを打設するために、コンクリート面に対する張上材を固定するための下地を堰板の組み立てと同時的に形成させる施工方法に関する。
【背景技術】
【０００２】
従来、鉄筋コンクリート構造のコンクリートを打設するために行われるコンクリート型枠の組み立て方法は、コンクリートの流し込み空間に鉄筋を組み終わった後に、そこをコンクリート型枠用の堰板（コンクリートパネル合板）で囲う工程があるが、その堰板の固定はその堰板の対向面への孔開けをして、その対向する孔に内側から鍔付きのセパレータの両端部を差し込んで支持する手法が用いられている。
そして、堰板が組み立て終ったら、流し込み空間にコンクリートを流し込んで、そのコンクリートが硬化してからその型枠を取り外している。
この方法では、堰板を使用した場合にその堰板にセパレータを差し込むための孔を毎回開けることになるので、堰板には再使用する回数だけするだけセパレータ孔が増えることになり、そのため数回使用すると破損してその堰板は使用できなくなる。
このため、建設工事があるたびに破損した堰板が大量に発生し、その堰板は建築廃棄物として処分されるため、その処理費用も少ないものではなかった。また堰板の原料が木質合板であるために木材天然資源を消費することは、資材費の削減のみならず自然保護の観点からも好ましいものではなかった。
【０００３】
他方、コンクリート構造物は乾燥収縮や温度変化などのより亀裂が発生することが避けられず、あらかじめ設けた目地部分に亀裂を誘発させ、亀裂の補修や管理をしやすくできるようにすることが行われている。
例えば、亀裂誘発目地の形成方法（特許文献１）が提案されているが、その方法での型枠の組み立てにおいては、セパレータの両端部を目地成形用型材に固定する手法を採っているので堰板の方にはセパレータ用の孔を開ける必要はなくなるために、孔開けによる堰板面の破損はなくなって堰板を何度も再使用することが可能となる。
【０００４】
しかし、この誘発目地の形成方法では、脱型後に目地成形用型材を取り外して誘発目地を形成するものであり、その脱型後のコンクリート壁面に各種仕上げを行う場合、コンクリート面は平滑で硬い壁面であるために、その表面には仕上げ材などの板材を直接釘やビスなどで固定することが困難であった。
このため、そのコンクリート壁面に下地用の桟木を張上材のサイズに合うピッチに配して、接着剤や専用のコンクリート釘で固定する方法や接着剤を団子貼りする方法などが行われている。
【０００５】
また、直接コンクリート壁面への仕上げが壁厚や仕上げ材などの条件から、容易にできない場合には、その壁面前にさらに別に木質や軽鉄などで下地を形成して仕上げする方法も行われている。
上記のように、コンクリート壁面では、コンクリート面が平滑で硬いために、直接釘打ちやビス止めすることができず、その表面の張上材の下地をどのように形成すべきか苦労していおり、これまでの方法では従来のいずれの方法においても手間と費用が多くかかり、施工も容易ではなかった。
また、室内に快適な温度環境を得るために、コンクリート外壁面に断熱板を打ち込んだ構造の建築が増えているが、コンクリート型枠の組み立て時に断熱板も配設することは、堰板と断熱板とのサイズと位置が一致せず、堰板と重ね合わせが困難であり、その組み立ては容易ではなかった。
【特許文献１】特開平１１−２２９６２２
【発明の開示】
【発明が解決しようとする課題】
【０００６】
本発明は上記問題を解決するために、鉄筋コンクリート構造物のコンクリート面に各種仕上げ材などの張上材を固定するための下地を効率良く形成するために使用するのに適した部材を提供するとともに、その部材を用いてコンクリート打設を行うに際し、コンクリート面に対して張上材固定用の下地の形成を堰板の組み立てと同時的に効率良く行うことができ、またその際に断熱板も同時に貼り付けることができるコンクリート型枠の施工方法を提供することが課題である。
【課題を解決するための手段】
【０００７】
上記課題を解決するため、本発明の張上下地兼堰板支持用のコンクリート面への埋込部材は、セパレータを差し込むために板面内に貫設したセパレータ差し込み孔と、コンクリート内へ食い込ませるために裏面に形成したアンカー部と、堰板を正確な位置に支持するために表面に形成した堰板支持面と、上下に相互接続するために上下両端部に形成した連結部とで構成したものである。
【０００８】
請求項２に記載の発明は、上記構成において、前記堰板支持面内のセパレータ差し込み孔の線列上に台部を突設し、該台部両側に堰板間の隙間幅を決める突付け面を一体的に形成したものである。
【０００９】
請求項３に記載の発明は、上記構成において、前記堰板支持面上に張上材装着用の下地材を固定するための下地材取り付け手段を形成しものである。
【００１０】
請求項４に記載の発明は、上記構成において、前記下地材取り付け手段が、下地材に設けた嵌合部に結合可能に対応する嵌合部を設けたものである。
【００１１】
請求項５に記載の発明は、セパレータを差し込むために板面内に貫設したセパレータ差し込み孔と、コンクリート内へ食い込ませるために裏面に形成したアンカー部と、堰板を正確な位置に支持するために表面に形成した堰板支持面と、堰板支持面内のセパレータ差し込み孔の線列上に台部を突設し、該台部両側に堰板間の隙間幅を決める突付け面を一体的に形成した張上用下地部と、上下に相互接続するために上下両端部に形成した連結部とで構成したものである。
【００１２】
請求項６に記載の発明は、セパレータを差し込むために板面内に貫設したセパレータ差し込み孔と、コンクリート内へ食い込ませるために裏面に形成したアンカー部と、断熱板を正確な位置に支持するために表面に形成した断熱板支持面と、断熱板支持面内のセパレータ差し込み孔の線列上に台部を突設し、該台部両側に断熱板間の隙間幅を決める突付け面を一体的に形成した断熱板突付け部と、前記台部の断熱板突付け部の上部に、セパレータ差し込み孔の線列上に２段目台部を突設し、該２段目台部の両側に堰板間の隙間幅を決める突付け面を一体的に形成した堰板突付け部と、上下に相互接続するために上下両端部に形成した連結部とで構成したものである。
【００１３】
請求項７に記載の発明は、上記構成において、前記断熱板突付け部に、断熱板の側面を嵌合する断熱板の厚さと同幅の嵌合溝を形成したものである。
【００１４】
請求項８に記載の発明は、上記請求項１乃至５のうちいずれか１項に記載の埋込部材を使用したコンクリート型枠形成工法である。
その工法は、鉄筋組み立て工程の後の鉄筋コンクリート型枠組み立て工程において、堰板建込み工程とサポートパイプ固定工程とを有する。
前記堰板建込み工程は、コンクリートの流し込み空間の両側に、直立させた堰板の側部に堰板最上部まで添わせて前記埋込部材を連結させつつまた該埋込部材の横方向に堰板と該埋込部材とを交互に配して前記埋込部材をセパレータとホームタイで対面固定して繋げて行き、コンクリートの流し込み空間の両側を該堰板で囲い、該堰板の外側に、縦桟を当てて前記ホームタイを両側から挟んで両縦桟を一緒に掴むようにクランプキャップで押えて堰板と埋込部材を固定するものである。
前記サポートパイプ固定工程は、該縦桟固定工程で固定された縦桟の上からサポートパイプを横に掛け渡し、ホームタイに装着したクランプで前記サポートパイプを締め付け固定するものである。
そして、流し込み空間にコンクリートを流し込んでコンクリートが硬化した後、前記クランプを外して堰板を剥がすと、コンクリート壁面に埋め込まれて張り上げ用の下地が一体的に形成されることを特徴としたものである。
【００１５】
請求項９に記載の発明は、上記請求項６に記載の埋込部材を使用したコンクリート型枠形成工法である。
その工法は、鉄筋組み立て工程の後の鉄筋コンクリート型枠組み立て工程において、堰板建込み工程とサポートパイプ固定工程とを有する。
前記堰板建込み工程は、コンクリートの流し込み空間の両側に、直立させた断熱板の側部に断熱板最上部まで添わせて前記埋込部材を連結させつつまた該埋込部材の横方向に断熱板と該埋込部材とを交互に配して前記埋込部材をセパレータとホームタイで対面固定して繋げて行き、コンクリートの流し込み空間の両側を該断熱板で囲い、該断熱板の外側を堰板で囲い、該堰板の外側に縦桟を当てて前記ホームタイを両側から挟んで両縦桟を一緒に掴むようにクランプキャップで押えて断熱板及び堰板と埋込部材を固定するものである。
前記サポートパイプ固定工程は、該縦桟固定工程で固定された縦桟の上からサポートパイプを横に掛け渡し、ホームタイに装着したクランプで前記サポートパイプを締め付け固定するものである。
そして、流し込み空間にコンクリートを流し込んでコンクリートが硬化した後、前記クランプを外して堰板を剥がすと、断熱板がコンクリート面に付着し、コンクリート壁面に埋め込まれた張り上げ用の下地が一体的に形成されることを特徴としたものである。
【００１６】
請求項１０に記載の発明は、請求項７に記載の埋込部材を使用したコンクリート型枠形成工法である。
その工法は、鉄筋組み立て工程の後の鉄筋コンクリート型枠組み立て工程において、断熱板建込み工程と堰板建込み工程とサポートパイプ固定工程とを有する。
前記断熱板建込み工程は、コンクリートの流し込み空間の両側に、直立させた断熱板の側部に断熱板最上部まで添わせて前記埋込部材を連結させつつまた該埋込部材の横方向に該埋込部材の嵌合溝に断熱板の側部を嵌め込んで断熱板と該埋込部材とを交互に配して前記埋込部材をセパレータとホームタイで対面固定して繋げて行き、コンクリートの流し込み空間の両側を該断熱板で囲うものである。
前記堰板建込み工程は、該断熱板の外側を堰板で囲い、該堰板の外側に縦桟を当てて前記ホームタイを両側から挟んで両縦桟を一緒に掴むようにクランプキャップで押えて断熱板及び堰板と埋込部材を固定するものである。
前記サポートパイプ固定工程は、該縦桟固定工程で固定された縦桟の上からサポートパイプを横に掛け渡し、ホームタイに装着したクランプで前記サポートパイプを締め付け固定するものである。
そして、流し込み空間にコンクリートを流し込んでコンクリートが硬化した後、前記クランプを外して堰板を剥がすと、断熱板がコンクリート面に付着し、ンクリート壁面に埋め込また張り上げ用の下地が一体的に形成されることを特徴としたものである。
【発明の効果】
【００１７】
本発明は以上のようであり、平滑で硬い壁面であるコンクリート面の型枠張上材固定用下地作りは容易ではなかったが、本発明の張上下地兼堰板支持用のコンクリート面への埋込部材によって、コンクリート壁面への板材の張り上げ用の下地がコンクリート型枠打設と同時に一体的に設けることができるようになった。
そして、そのコンクリート面に埋め込まれた埋込部材に対しては、各種下地の形成が容易となり、仕上げ材などの表面材の張り上げ作業能率を大幅に向上できるようになった。
また、コンクリート型枠の形成に際しては、埋込部材を使用することによって使用した堰板には孔傷が付かないので、何度再使用しても破損が少なく、今までは２〜３回であった再使用回数が本発明では１０回以上数多く再使用できるようになった。
このため、堰板廃棄による発生する建設廃棄物の量を大幅に減らすことが可能となり、また堰板原料の木材資源を効率的に節約することが可能となった。このことは自然環境保護に面からも好ましいものである。
さらに、コンクリート型枠の組み立て時に断熱板も配設する工法では、前記埋込部材上に断熱板が堰板と一緒に単に当て込むだけで簡単に重ね合わせで組み立てることができるようになり、作業能率が大幅に向上できるようになった。
【発明を実施するための最良の形態】
【００１８】
本発明を実施するための最良の形態を以下説明する。
本発明は、コンクリート打設用の張上材固定用の下地と兼用が可能で強固にコンクリート内に埋め込める張上下地兼堰板支持用のコンクリートへの埋込部材と、その部材を用いて効率良く組み立てることができるコンクリート型枠の形成工法である。
先ずこの埋込部材について説明する。
その埋込部材は、図６に示すように、コンクリート内へ食い込ませるために裏面に形成したアンカー部４を備え、堰板を正確な位置に支持するために表面に堰板支持面５を形成した板の板面内中央部に丸型セパレータを差し込むためのセパレータ差し込み孔２を貫設する。そして、上下両端部に上下に相互接続するための凹凸嵌合部３ａ、３ｂにした連結部３を形成して構成される。
【００１９】
前記アンカー部４は、埋込部材１の後面の横幅を前面の横幅よりも広く蟻接ぎ状に形成したもの（図８に示す）、また、堰板支持面５の垂直線に対して交差角度を有するアンカー板を埋込部材１の両側後面に突出させたもの（図６に示す）、フック状の掛止部を形成した突起を埋込部材１の後面に突出させたもの（図７に示す）などが可能である。
【００２０】
また、図６に示すように、前記堰板支持面５内のセパレータ差し込み孔２の線列上に台部６を突設し、該台部６の両側に堰板間の隙間幅を決める突付け面を一体的に形成することもできる。
【００２１】
さらに、図８、図９及び図１０に示すように、前記堰板支持面５上に張上材装着用の下地材９を固定するための下地材取り付け手段７を形成する形態も可能である。
【００２２】
さらにまた、前記下地材取り付け手段７が、下地材９に設けた嵌合部１０に結合可能に対応する嵌合部８を設けることができる。
【００２３】
また、埋込部材１は、図１１に示すように、セパレータ１３を差し込むために板面内に貫設したセパレータ差し込み孔２と、コンクリート内へ食い込ませるために裏面に形成したアンカー部４と、堰板を正確な位置に支持するために表面に形成した堰板支持面５と、堰板支持面５内のセパレータ差し込み孔２の線列上に台部を突設し、該台部両側に堰板間の隙間幅を決める突付け面を一体的に形成した張上用下地部１１と、上下に相互接続するために上下両端部に形成した連結部３とで構成したものである。
【００２４】
さらに、埋込部材１は、図１２に示すように、セパレータ１３を差し込むために板面内に貫設したセパレータ差し込み孔２と、コンクリート内へ食い込ませるために裏面に形成したアンカー部４と、断熱板３０を正確な位置に支持するために表面に形成した断熱板支持面３１と、断熱板支持面３１内のセパレータ差し込み孔２の線列上に台部を突設し、該台部両側に断熱板３０間の隙間幅を決める突付け面を一体的に形成した断熱板突付け部３２と、前記台部の断熱板突付け部３２の上部に、セパレータ差し込み孔２の線列上に２段目台部を突設し、該２段目台部の両側に堰板１２間の隙間幅を決める突付け面を一体的に形成した堰板突付け部３３と、上下に相互接続するために上下両端部に形成した連結部３とで構成したものである。
【００２５】
さらに、図１３及び図１４に示すように、前記断熱板突付け部３２には、断熱板３０の側面を嵌合する断熱板３０の厚さと同幅の嵌合溝３４を形成することが可能である。
【００２６】
次に、上記埋込部材１を使用したコンクリート型枠形成工法を説明する。
その工法は、鉄筋組み立て工程の後の鉄筋コンクリート型枠組み立て工程に堰板建込み工程とサポートパイプ固定工程とを有する。
前記堰板建込み工程は、図２に示すように、コンクリートの流し込み空間Ｓの両側に、直立させた堰板１２の側部に堰板１２最上部まで添わせて連結部３で前記埋込部材１を連結させつつまた該埋込部材１の横方向に堰板１２と該埋込部材１とを交互に配して前記埋込部材１をセパレータ１３の支持鍔１４とホームタイ１５のフランジ１６で挟み付けて対面固定して繋げて行き、コンクリートの流し込み空間Ｓの両側を該堰板１２で囲い、該堰板１２の外側に、図３に示すように、縦桟１７、１８を当てて前記ホームタイ１５を両側から挟んで両縦桟１７、１８を一緒に掴むようにクランプキャップ１９をボルト（図省略）で押えて堰板１２と埋込部材１を固定するものである。
この工程で、コンクリートの流し込み空間Ｓの両側に堰板１２が一旦自立できるようになる。
前記サポートパイプ固定工程は、図１と図４に示すように、該縦桟固定工程で固定された縦桟１７、１８の上から上側のサポートパイプ２０ａと下側のサポートパイプ２０ｂの上下２本のサポートパイプ２０を平行に横に掛け渡し、ホームタイ１５に装着したクランプ２１で前記サポートパイプ２０をボルト２６により締め付け固定するものである。
そして、流し込み空間にコンクリートを流し込んでコンクリートが硬化した後、前記クランプを外して堰板を剥がすと、図５に示すように、コンクリート壁面に埋め込まれて張り上げ用の下地が一体的に形成される。
【００２７】
また別の形態では断熱板突付け部３２を有する埋込部材１を使用したコンクリート型枠形成工法である。
その工法は、鉄筋組み立て工程の後の鉄筋コンクリート型枠組み立て工程において、堰板建込み工程とサポートパイプ固定工程とを有する。
前記堰板建込み工程は、図１２に示すように、コンクリートの流し込み空間Ｓの両側に、直立させた断熱板３０の側部に断熱板最上部まで添わせて前記埋込部材１を連結させつつまた該埋込部材１の横方向に断熱板３０と該埋込部材１とを交互に配して前記埋込部材１をセパレータ１３とホームタイ１５で対面固定して繋げて行き、コンクリートの流し込み空間Ｓの両側を該断熱板３０で囲い、該断熱板３０の外側を堰板１２で囲い、該堰板１２の外側に縦桟１７，１８を当てて前記ホームタイ１５を両側から挟んで両縦桟１７，１８を一緒に掴むようにクランプキャップ１９で押えて断熱板３０及び堰板１２と埋込部材１を固定するものである。
この工程で、コンクリートの流し込み空間Ｓの両側に堰板１２が一旦自立できるようになる。
前記サポートパイプ固定工程は、該縦桟固定工程で固定された縦桟１７，１８の上からサポートパイプ２０を横に掛け渡し、ホームタイ１５に装着したクランプ２１で前記サポートパイプ２０を締め付け固定するものである。
そして、流し込み空間Ｓにコンクリートを流し込んでコンクリートが硬化した後、前記クランプを外して堰板を剥がすと、断熱板３０がコンクリート面に付着し、コンクリート壁面に埋め込まれた張り上げ用の下地が一体的に形成される。
【００２８】
さらに別の形態は断熱板３０の厚さと同幅の嵌合溝３４を有する埋込部材１を使用したコンクリート型枠形成工法である。
その工法は、鉄筋組み立て工程の後の鉄筋コンクリート型枠組み立て工程において、断熱板建込み工程と堰板建込み工程とサポートパイプ固定工程とを有する。
前記断熱板建込み工程は、図１３および図１４に示すように、コンクリートの流し込み空間Ｓの両側に、直立させた断熱板３０の側部に断熱板最上部まで添わせて前記埋込部材１を連結させつつまた該埋込部材１の横方向に該埋込部材１の嵌合溝３４に断熱板３０の側部を嵌め込んで断熱板３０と該埋込部材１とを交互に配して前記埋込部材１をセパレータ１３とホームタイ１５で対面固定して繋げて行き、コンクリートの流し込み空間Ｓの両側を該断熱板３０で囲うものである。
この工程で、コンクリートの流し込み空間Ｓの両側に断熱板３０が一旦自立できるようになる。
前記堰板建込み工程は、該断熱板３０の外側を堰板１２で囲い、該堰板１２の外側に縦桟１７，１８を当てて前記ホームタイ１５を両側から挟んで両縦桟１７，１８を一緒に掴むようにクランプキャップ１９で押えて断熱板３０及び堰板１２と埋込部材１を固定するものである。
前記サポートパイプ固定工程は、該縦桟固定工程で固定された縦桟１７，１８の上からサポートパイプ２０を横に掛け渡し、ホームタイ１５に装着したクランプ２１で前記サポートパイプ２０を締め付け固定するものである。
そして、流し込み空間Ｓにコンクリートを流し込んでコンクリートが硬化した後、前記クランプを外して堰板１２を剥がすと、断熱板３０がコンクリート面に付着し、ンクリート壁面に埋め込また張り上げ用の下地が一体的に形成される。
【００２９】
なお、図中の埋込部材１は、下地材９に設けた嵌合部１０に結合可能に対応する嵌合部８を設けた形態である。
この埋込部材１の嵌合部８はＣ型溝であり、その中に下地材９に設けた回転嵌合部３９が９０度の回転で抜けないように固定できる構造である。
そして、下地材９にあらかじめ設けたネジ孔３５に、張上材４０の嵌合部４１を固定する掛止め部３８を有する掛止め金具３７が、ネジ３６で固定できるようになっている。
上記のような各種部材の組み合わせでコンクリート面に容易に張上材４０を固定して効率よく張り上げることが可能になる。
【産業上の利用可能性】
【００３０】
本発明は上記構造であり、コンクリート型枠打設面における張上材固定用下地を、コンクリート打設と同時に一体的に形成できものであるが、結果として埋込部材が亀裂の誘発目地ともなっている。
また、埋込部材は例示したのものほかにも、張上材の各種形態に対応した多様な態様が可能である。
【図面の簡単な説明】
【００３１】
【図１】本発明の型枠形成後の状態を示す斜視図である。
【図２】埋込部材を固定した状態を示す水平断面図である。
【図３】縦桟を固定した状態を示す水平断面図である。
【図４】サポートパイプを固定した状態を示す水平断面図である。
【図５】堰板を外した後の状態を示す水平断面図である。
【図６】埋込部材の斜視図である。
【図７】別形態の埋込部材の斜視図である。
【図８】別形態の埋込部材の斜視図である。
【図９】別形態の埋込部材の斜視図である。
【図１０】別形態の埋込部材の斜視図である。
【図１１】下地部が一体的な形態の埋込部材の斜視図である。
【図１２】断熱板を使用する形態を示す斜視図である。
【図１３】別の埋込部材による断熱板を使用した形態を示す斜視図である。
【図１４】図１３の形態の水平断面図である。
【符号の説明】
【００３２】
１    埋込部材
２    セパレータ差し込み孔
３    連結部
３ａ  上端の連結部
３ｂ  下端の連結部
４    アンカー部
５    堰板支持面
６    台部
７    下地材取り付け手段
８    嵌合部
９    下地材
１０    下地材の嵌合部
１１    張上用下地部
１２    堰板
１３    セパレータ
１４    セパレータの支持鍔
１５    ホームタイ
１６    ホームタイのフランジ
１７    縦桟
１８    縦桟
１９    クランプキャップ
２０    サポートパイプ
２０ａ  上側のサポートパイプ
２０ｂ  下側のサポートパイプ
２１    クランプ
２２    クランプキャップのホームタイ通し孔
２３    クランプキャップのクランプ部
２４    堰板支持部材のホームタイのフランジ差込穴
２５    ワシャー
２６    ボルト
２７    セパレータのホームタイ螺着部
２８    クランプのホームタイ通し孔
２９    ホームタイの雌螺部
３０    断熱板
３１    断熱板支持面
３２    断熱板突付け部
３３    堰板突付け部
３４    嵌合溝
３５    ネジ孔
３６    ネジ
３７    掛止め金具
３８    掛止め部
３９    回転嵌合部
４０    張上材
４１    張上材の嵌合部
Ｓ    コンクリートの流し込み空間
Ｃ    コンクリート
【図１】
2005290853.tif 000003
【図２】
2005290853.tif 000004
【図３】
2005290853.tif 000005
【図４】
2005290853.tif 000006
【図５】
2005290853.tif 000007
【図６】
2005290853.tif 000008
【図７】
2005290853.tif 000009
【図８】
2005290853.tif 000010
【図９】
2005290853.tif 000011
【図１０】
2005290853.tif 000012
【図１１】
2005290853.tif 000013
【図１２】
2005290853.tif 000014
【図１３】
2005290853.tif 000015
【図１４】
2005290853.tif 000016